(57)【要約】【課題】    従来のトイレは、トイレ室内の換気ファンで匂いを排出したり、消臭剤を使用したり、また便器に取り付けられたファンと防臭フィルターで匂いをとるシステムがあるが、いずれも多少の匂いが残り不十分であった。 【解決手段】  便座に吸引口を設定し、ダクトでトイレの水タンクの内部につなぎ、ファンで臭気を伴うエアーを吸引し、該ダクトを通して、該水タンクの水の中に臭気を伴うエアーを通して、臭気の大半を除去してから、該水タンクの上部にある防臭フィルターに通して、残りの臭気を吸収する。【選択図】図１
2020084675.tif 000002
【特許請求の範囲】
【請求項１】
ファンを使いトイレ便座部から臭気を伴うエアーを吸引し、洗浄用の水タンクに送り、臭気を伴うエアーを水を通すことで臭気を減衰させ、さらに防臭フィルターを通して、部屋に臭気のないエアーを排出する、匂いの発生しないトイレであって、ウオシュレット（商標登録）使用後のお尻を乾燥させるエアーに消臭剤を混入させ、残存汚物の消臭を行う、匂いのしない水洗トイレ。
【発明の詳細な説明】
【技術分野】
【０００１】
本発明は匂いのしない水洗トイレに関するものである。
【背景技術】
【０００２】
従来のトイレは、トイレ室内の換気ファンで匂いを排出したり、消臭剤を使用したり、また便器に取り付けられたファンと防臭フィルターとで匂いをとるシステムがあるが、いずれも多少の匂いが残り不十分であった。
【先行技術文献】
【特許文献】
【０００３】
【特許文献１】特開２０１1−００６９７０
【発明の概要】
【発明が解決しようとする課題】
【０００４】
まったく匂いのない水洗トイレを実現する。
【課題を解決するための手段】
【０００５】
便座に吸引口を設定し、ダクトでトイレの水タンクの内部につなぎ、ファンで臭気を伴うエアーを吸引し、該ダクトを通して、該水タンクの水の中に臭気を伴うエアーを通して、臭気の大半を除去してから、該水タンクの上部にある防臭フィルターに通して、残りの臭気を吸収する。
また、ウオシュレット（商標登録）でのお尻洗浄後の乾燥のための温風を消臭・芳香剤を通して送ることで、まれに残存する場合がある汚物の消臭も行う。
【発明の効果】
【０００６】
本発明により、匂いが全く発生しない水洗トイレが実現し、快適な生活ができる。またトイレを個室に設置せず、居室内に設置することが可能となる。
本実施例（図1）のように、マットレスと便座の高さを同じくして、また足置き部を設定することで、寝床と密接した水洗トイレが実現する。すなわちトイレのある別室まで連れていく必要がなく、介護が大幅に楽になる。
【図面の簡単な説明】
【０００７】
【図１】本発明の概要を示す。
【発明を実施するための形態】
【０００８】
便座に吸引口を設定し、ダクトで便座からトイレの水タンクの内部につなぎ、ファンで臭気を伴うエアーを吸引し、該ダクトを通して、該水タンクの水の中に臭気を伴うエアーを通して、臭気の大半を除去してから、該水タンクの上部にある防臭フィルターにエアーを通して、残りの臭気を吸収する。
また、ウオシュレット（商標登録）でのお尻洗浄後の乾燥のための温風を消臭・芳香剤を通して送ることで、まれに残存する場合がある汚物の消臭も行う。
【０００９】
図1において、トイレ便座1の上側にあるウオシュレット3よりもさらに上側にエアー口2を設定し、エアーダクト4でファン7に連結し、さらに逆流防止弁B10を経由して、水タンク注入管11につなぐことで、臭気の伴ったエアーを、ファン7を正転させることで、水タンク14の水の中に送ることが可能になる。またさらに、水に通して臭気が弱くなったエアーを防臭フィルター13を通すことで、臭気が感じられないエアーにして室内に排出することが可能になる。
尚、防臭フィルター13は、水タンク蓋12と同様に、上からの嵌め込み式であり簡単に交換可能となる
また、水タンク14の水を、流し水管5を経由して送り、汚物を水洗で流したのち、ウオシュレット3にてお尻を洗浄し、その後にファン7を逆転させることで、室内のエアーを消臭・芳香剤BOX９を通し、さらに逆流防止弁A８も通して、エアーダクト4に送り、ヒーター6にてエアーを温めてから、エアー口2に送り、お尻を乾燥させる。またこのエアーは消臭効果があり、場合により残存してしまった汚物の匂いも消臭する。
実用面での工夫として、トイレ便座1を床に埋め込み、マットレス１5の高さに設定し、また足受け部17を掘りごたつのように設定すれば、生活空間として便座が邪魔にならず、広く居室空間を使える。床下の余裕度に応じ、トイレ便座1の埋め込み量18を設定し、マットレス15と高さが同じになるようマットレスの調整台16の高さ設定をすることで、段差なしでマットレスから便座に移動が可能となる。
【産業上の利用可能性】
【００１０】
本発明により、匂いが全く発生しない水洗トイレが実現し、快適な生活ができる。またトイレを個室に設置せず、居室内に設置することが可能となる。
居室にトイレを設置する効果として、幼い子供を見ながらやTVを見ながらトイレができるので、便利になる他、トイレで具合が悪くなる等の場合は、家族が変異にすぐに気が付き、早期対応が可能になる。
本実施例（図1）のように、マットレスと便座の高さを同じくして、また足置き部を設定することで、寝床と密接した水洗トイレが実現する。すなわちトイレのある別室まで連れていく必要がなく、介護が大幅に楽になる。
【符号の説明】
【００１１】
１  トイレ便座
２  エアー口
３  ウオシュレット
４  エアーダクト
５  流し水管
６  ヒーター
７  ファン（正転/逆転）
８  逆流防止弁A
９  消臭・芳香剤BOX
10  逆流防止弁B
11  水タンク注入管
12  水タンク蓋
13  脱臭フィルター
14  水タンク
15  マットレス
16  マットレスの高さ調整台
17  足置き部
18  埋め込み量（床の位置）
【図１】
2020084675.tif 000003
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
ファンを使いトイレ便座部から臭気を伴うエアーを吸引し、洗浄用の水タンクに送り、臭気を伴うエアーを水を通すことで臭気を減衰させ、さらに防臭フィルターを通して、部屋に臭気のないエアーを排出する、匂いの発生しないトイレであって、ウォシュレット（商標登録）使用後のお尻を乾燥させるエアーに消臭剤を混入させ、残存汚物の消臭を行う、匂いのしない水洗トイレ。
【手続補正２】
【補正対象書類名】明細書
【補正対象項目名】０００５
【補正方法】変更
【補正の内容】
【０００５】
便座に吸引口を設定し、ダクトでトイレの水タンクの内部につなぎ、ファンで臭気を伴うエアーを吸引し、該ダクトを通して、該水タンクの水の中に臭気を伴うエアーを通して、臭気の大半を除去してから、該水タンクの上部にある防臭フィルターに通して、残りの臭気を吸収する。
また、ウォシュレット（商標登録）でのお尻洗浄後の乾燥のための温風を消臭・芳香剤を通して送ることで、まれに残存する場合がある汚物の消臭も行う。
【手続補正３】
【補正対象書類名】明細書
【補正対象項目名】０００８
【補正方法】変更
【補正の内容】
【０００８】
便座に吸引口を設定し、ダクトで便座からトイレの水タンクの内部につなぎ、ファンで臭気を伴うエアーを吸引し、該ダクトを通して、該水タンクの水の中に臭気を伴うエアーを通して、臭気の大半を除去してから、該水タンクの上部にある防臭フィルターにエアーを通して、残りの臭気を吸収する。
また、ウォシュレット（商標登録）でのお尻洗浄後の乾燥のための温風を消臭・芳香剤を通して送ることで、まれに残存する場合がある汚物の消臭も行う。
【手続補正４】
【補正対象書類名】明細書
【補正対象項目名】０００９
【補正方法】変更
【補正の内容】
【０００９】
図1において、トイレ便座1の上側にあるウォシュレット（商標登録）3よりもさらに上側にエアー口2を設定し、エアーダクト4でファン7に連結し、さらに逆流防止弁B10を経由して、水タンク注入管11につなぐことで、臭気の伴ったエアーを、ファン7を正転させることで、水タンク14の水の中に送ることが可能になる。またさらに、水に通して臭気が弱くなったエアーを防臭フィルター13を通すことで、臭気が感じられないエアーにして室内に排出することが可能になる。
尚、防臭フィルター13は、水タンク蓋12と同様に、上からの嵌め込み式であり簡単に交換可能となる
また、水タンク14の水を、流し水管5を経由して送り、汚物を水洗で流したのち、ウォシュレット（商標登録）3にてお尻を洗浄し、その後にファン7を逆転させることで、室内のエアーを消臭・芳香剤BOX９を通し、さらに逆流防止弁A８も通して、エアーダクト4に送り、ヒーター6にてエアーを温めてから、エアー口2に送り、お尻を乾燥させる。またこのエアーは消臭効果があり、場合により残存してしまった汚物の匂いも消臭する。
実用面での工夫として、トイレ便座1を床に埋め込み、マットレス１5の高さに設定し、また足受け部17を掘りごたつのように設定すれば、生活空間として便座が邪魔にならず、広く居室空間を使える。床下の余裕度に応じ、トイレ便座1の埋め込み量18を設定し、マットレス15と高さが同じになるようマットレスの調整台16の高さ設定をすることで、段差なしでマットレスから便座に移動が可能となる。
【手続補正５】
【補正対象書類名】明細書
【補正対象項目名】００１１
【補正方法】変更
【補正の内容】
【００１１】
１  トイレ便座
２  エアー口
３  ウォシュレット（商標登録）
４  エアーダクト
５  流し水管
６  ヒーター
７  ファン（正転/逆転）
８  逆流防止弁A
９  消臭・芳香剤BOX
10  逆流防止弁B
11  水タンク注入管
12  水タンク蓋
13  脱臭フィルター
14  水タンク
15  マットレス
16  マットレスの高さ調整台
17  足置き部
18  埋め込み量（床の位置）